Podtech/llm-jp-corpus-v4-ja_patent huggingface dataset:
(57)【要約】      （修正有）【課題】踵を保湿することができ、かつはき心地も良い靴下を提供する。【解決手段】靴下Ａの踵部Ａ１の内面であって、後面２と底面３と左右の側面４にシリコン樹脂を塗布した樹脂被覆層１を設けている。踵部Ａ１の内面に樹脂被覆層があることから冷たい空気の流通を遮断して保温しかつ保湿できるので、人の踵のひび割れ等を防止することができる。樹脂被覆層１がシリコン樹脂からなるので樹脂自体に伸縮性があり、かつ塗布されたシリコン樹脂は靴下生地と共に伸縮するのではき心地が良い。【選択図】図１
0003222480.tif 000002
【実用新案登録請求の範囲】
【請求項１】
靴下の踵部の内面に合成樹脂を塗布した樹脂被覆層を設けている
ことを特徴とする靴下。
【請求項２】
前記合成樹脂が、シリコン樹脂である
ことを特徴とする請求項１記載の靴下。
【請求項３】
靴下の踵部における背面と底面に前記樹脂被覆層を設けている
ことを特徴とする請求項１または２記載の靴下。
【請求項４】
靴下の踵部における背面と底面と左右の側面に前記樹脂被覆層を設けている
ことを特徴とする請求項１または２記載の靴下。
【考案の詳細な説明】
【技術分野】
【０００１】
本考案は、靴下に関する。
【背景技術】
【０００２】
靴下は、足や脚を保護する衣料であるが、靴下をはいていても、着用者の踵がひび割れたりかさかさ荒れが生ずることがある。
踵のひび割れ等を防止するには、踵を保湿すればよいことが分っている。
【０００３】
特許文献１の技術は、靴下に保温保湿性を与えるため提案されたもので、靴下の踵部分を２重布で構成し、この２重布の間にフィルムを挿入し、そのフィルムの周縁部を靴下に被着したものである。
【０００４】
しかるに、上記従来例の靴下では、歩行時に靴下内のフィルムが突っ張って踵部の伸縮性が失われ、はき心地が悪いという不都合があった。
【先行技術文献】
【特許文献】
【０００５】
【特許文献１】特公平７−４９６０１号公報
【考案の概要】
【考案が解決しようとする課題】
【０００６】
本考案は上記事情に鑑み、踵を保湿することができ、かつはき心地も良い靴下を提供することを目的とする。
【課題を解決するための手段】
【０００７】
第１考案の靴下は、靴下の踵部の内面に合成樹脂を塗布した樹脂被覆層を設けていることを特徴とする。
第２考案の靴下は、第１考案において、前記合成樹脂が、シリコン樹脂であることを特徴とする。
第３考案の靴下は、第１考案または第２考案において、靴下の踵部における背面と底面に前記樹脂被覆層を設けていることを特徴とする。
第４考案の靴下は、第１考案または第２考案において、靴下の踵部における背面と底面と左右の側面に前記樹脂被覆層を設けていることを特徴とする。
【考案の効果】
【０００８】
第１考案によれば、踵部の内面に樹脂被覆層があることから冷たい空気の流通を遮断して保温しかつ保湿できるので、人の踵のひび割れ等を防止することができる。
第２考案によれば、樹脂がシリコン樹脂であるので樹脂自体に伸縮性があり、かつ塗布されたシリコン樹脂は靴下生地と共に伸縮するのではき心地が良い。
第３考案によれば、踵の後面および底面を保湿できるので、人の踵のひび割れ等を適切に防止することができる。
第４考案によれば、踵の左右両側面も保湿できるので、人の踵のひび割れ等に対する保護領域が広がる。
【図面の簡単な説明】
【０００９】
【図１】本考案の一実施形態に係る靴下Ａの断面図（図２のＩ−Ｉ線断面図）である。
【図２】靴下Ａの平面図である。
【図３】靴下Ａの側面図である。
【考案を実施するための形態】
【００１０】
つぎに、本考案の実施形態を図面に基づき説明する。
図１〜図３はそれぞれ、本実施形態の靴下Ａの全体図を示しており、Ａ１は踵部、Ａ２は本体部、Ａ３はつま先部を示している。
以下では、図示の丈の短いスニーカーソックスを一実施形態として説明する。
【００１１】
本考案の特徴は、図１および図２に示すように、踵部Ａ１の内面に樹脂被覆層１を設けていることを特徴とする。
樹脂被覆層１を構成する樹脂は、冷たい空気の流通を遮断して保温し、かつ保湿できるものであれば、どのような樹脂を用いることもできる。
【００１２】
樹脂被覆層１を構成する樹脂として好ましいものはシリコン樹脂である。シリコン樹脂は樹脂自体に伸縮性があり、靴下生地と共に伸縮するのではき心地が良いからである。もちろん、冷たい空気の流通を遮断して保温し、かつ保湿できる機能も有している。
【００１３】
樹脂被覆層１の形成方法は塗布による。樹脂を靴下生地に塗布すると、樹脂が靴下生地に浸透して、靴下生地と一体化するので、はき心地を阻害することがないからである。
【００１４】
図１は樹脂被覆層１の形成領域を示している。
本考案では、樹脂被覆層１は踵部Ａ１の後面２と底面３に設けられる。人の踵の後面と底面を樹脂被覆層１で冷たい空気の流通を遮断して保温し、かつ保湿すれば、人の踵のひび割れやかさかさ荒れを適切に防止できるからである。
本考案では、これに加え、踵部Ａ１の左右両側面４にも樹脂被覆層１を設けることが好ましい。そうすることで、人の踵の左右両側面も保湿でき、ひび割れやかさかさ荒れをより効果的に防止できる。
【００１５】
本考案の靴下は、図示の長さの短いスニーカーソックスに限られることなく、以下のものにも適用できる。
（１）靴下の丈の長さに応じて以下の種類があるが、いずれの靴下にも本考案を適用できる。
・サイハイソックス（太もも中央くらいまでの長さ）
・オーバーニーソックス（膝上くらいまでの長さ）
・ニーソックス（膝くらいまでの長さ）
・ハイソックス（膝下くらいまでの長さ）
・スリークォーターソックス（膝下３／４、ふくらはぎくらいまでの長さ）
・アンクレットソックス（足首くらいまでの長さ）
【００１６】
（２）靴下の機能・形状に応じて以下の種類があるが、いずれの靴下にも本考案を適用できる。
・ルーズソックス
・サポートソックス（脚部または土踏まず部分にゴム糸を使用した靴下）
・パイルソックス（足裏部分などにパイル編みを用いクッション性を高めた靴下）
・Ｌ字型（直角）ソックス（足の形状通りＬ字型の靴下）
・クルーソックス（船員が脱ぎ履きしやすいようゴム編みにした靴下）
・５本指ソックス（つま先が足指に沿った形になっている靴下）
・足袋ソックス（足袋のように親指と人差し指のあいだが分かれている靴下）
・チューブソックス（前後の区別がない筒状の靴下）
【００１７】
本考案には、靴下生地の素材にも、とくに制限はなく、以下の材料を用いることができる。
コットン、アクリル、毛（ウール、カシミヤ、アンゴラ、モヘヤ、アルパカなど）、ナイロン、ポリエステル、スパンデックス、麻、絹、ポリ塩化ビニル、ポリプロピレンなど。
【符号の説明】
【００１８】
１    樹脂被覆層
Ａ    靴下
Ａ１  踵部
【図１】
0003222480.tif 000003
【図２】
0003222480.tif 000004
【図３】
0003222480.tif 000005
(57)【要約】      （修正有）【課題】手ブレを防止できるタップ用ネジ切り補助具を提供する。【解決手段】２枚の円形の金属板の円周に沿って、中心が円周上で等間隔に、タップ押さえ部となる１ｍｍ毎に３ｍｍから８ｍｍまでの半円状の切削部を形成し、一方は１ｍｍ毎に２．５ｍｍから８．５ｍｍまでの半円を同様に形成し、円中心にボルト用の穴あけをし、任意の厚さと寸法を有するフラットバーを２対１で、直角に折り曲げ、２枚の円盤用の長い方には幅９ｍｍ、短い方には幅４ｍｍの加工を施し、任意の厚さと寸法を有するＴ字形部材の脚部分を直角に折り曲げ、２対１で折り曲げた短い方と固定するための立ち上がり部分と任意の木材板に固定するために、幅４ｍｍの加工を施し、２枚の円盤の中心にそれぞれボルトを通して、任意の位置へスライドさせ、ナットで固定できるようにし、Ｔ字形部材の水平部分を任意の木材板に任意の位置にてネジで固定できるようにし、任意の木材板に丸穴を設け、その円形面にネジ切りが出来る。【選択図】図１
0003222423.tif 000002
【実用新案登録請求の範囲】
【請求項１】
任意の厚さと寸法を有する２枚の円形の金属板の円周に沿って、中心が円周上で等間隔に、タップ押さえ部となる３ｍｍ、４ｍｍ、５ｍｍ、６ｍｍ、７ｍｍ、８ｍｍの半円状の切削部を円周上に形成し、もう一方は２．５ｍｍ、３．５ｍｍ、４．５ｍｍ、５．５ｍｍ、６．５ｍｍ、７．５ｍｍ、８．５ｍｍの半円を同様に形成し、円の中心にボルト用の穴あけをし、任意の厚さと寸法を有するフラットバーを２対１で、直角に折り曲げ、２枚の円盤用の長い方には幅９ｍｍ、短い方には幅４ｍｍの横長抜き加工を施し、任意の厚さと寸法を有するＴ字形部材の脚部分を直角に折り曲げ、２対１で折り曲げた短い方と固定するための立ち上がり部分と任意の木材板に固定するために、それぞれ幅４ｍｍの横長抜き加工を施し、２枚の円盤の中心にそれぞれボルトを通して、任意の位置へスライドさせて、ナットで固定できるようにし、Ｔ字形部材の水平部分を任意の木材板に、任意の位置にてネジで固定できるようにし、任意の木材板に丸穴を設け、被削材の丸棒を通してその円形面にネジ切りが出来るタップ用ネジ切り補助具。
【考案の詳細な説明】
【技術分野】
【０００１】本考案はネジ切り用のタップを回す際の手ブレを防止する器具に関する。
【背景技術】
【０００２】従来のタップを回す際の補助具は、ネジ切りをする被削体をバイスで固定してその上に置いて手で押さえる構造であり、タップを回す際の手ブレを防止するには限界があった。そのため補助具の幅より小さいものはネジ切りできない問題もあった。磁石式の補助具もあるが被削体は限定された。円盤にタップの丸軸部分を通すものもあるが、丸軸部分の径は整数値もあるが、７ｍｍタップは６．０３ｍｍ、８ｍｍタップは６．２ｍｍといった不規則なものもあり、またメーカーによりさらに異なる可能性もあった。タップの径ごとのタップ補助具もあるが、費用的な問題もあった。またタップの刃の先に下穴を利用する延長部を設けたものもあるが、この種類は抜き加工専用で途中までの留め加工には適さない。
【先行技術文献】
【０００３】タップホルダー加工用刃物の冶具  特開平  １１−１６５２１６
タップ案内具  公開実用新案広報  昭５７−９６７３６
モノタロウ    タップガイド
モノタロウ    ガイド付きタップ
【考案の概要】
【考案が解決しようとする課題】
【０００４】タップを回す際の補助具が直接的に被削体に触れない構造にして、被削体の材質、幅、形状、タップの丸棒部分の径に制限されずネジ切りが可能な軽量且つ簡便なタップ用ネジ切り補助具を提供する。
【課題を解決するための手段】
【０００５】［図１］の２、３の任意の厚さと寸法を有する２枚の円形の金属板の円周に沿って、中心が円周上で等間隔となるように３ｍｍ、４ｍｍ、５ｍｍ、６ｍｍ、７ｍｍ、８ｍｍの半円状の切削部を円周上に形成する。【０００６】もう一方は２．５ｍｍ、３．５ｍｍ、４．５ｍｍ、５．５ｍｍ、６．５ｍｍ、７．５ｍｍ、８．５ｍｍの半円を同様に形成する。【０００７】［図１］の６ａ、６ｂの任意の厚さと寸法を有するフラットバーを２対１で折り曲げ、長い方には幅９ｍｍ、短い方には幅４ｍｍの横長抜き加工を施す。【０００８】［図１］任意の厚さと寸法を有するＴ字形部材を１０ａ、１０ｂの形態で折り曲げ、その平面分と立ち上がり部分に、それぞれ幅４ｍｍの抜き加工を施す。【０００９】２と３の中心にボルトを通して、任意の位置へスライドさせて、それぞれナットで固定できるようにする。【００１０】１０ａと６ｂを重ねて８のボルトまたを通し、任意の位置でナットで固定できるようにする。【００１１】１０ｂを任意の木材板に載せ、任意の位置で１３のビスで固定できるようにする。【００１２】任意の位置でベタバイスに被削体を挟んで、その下穴に該当するタップを当て、そのタップが［図１］の２と３の間を通る位置でベタバイスを前述の木材板と共に固定する。【００１３】木材板に口幅１０ｃｍのベタバイスの両脚部の間隔と同寸の円形抜き加工を施して長い丸棒の円形面のネジ切りにも対応できるようにする。【００１４】バイスに固定できない場合はバイスを外し、被削材を底上げしてクランプなどで固定して対応できるようにする。【００１５】幅広被削材のため、ネジ切り位置が合わない場合は、当考案品の木材板に固定するネジを外し遊動式として被削材のネジ切り位置で、クランプなどで固定して対応できるようにする。【００１６】［図１］の４，５のボルトは蝶ネジに代替できる。
【考案の効果】
【００１７】これにより被削材の材質、形状、タップの丸棒部分の径の寸法にかかわりなくタップでネジ切りが可能となる。
【図面の簡単な説明】
【００１８】
【図１】当考案品とベタバイスの斜視図
【図２】円形盤の上方図
【考案を実施するための形態】
【００１９】以下、本考案の実施の形態を図に基づいて説明する。
【実施例１】
【００２０】［図１］の２の該当する半円状の切削部にタップをあて被削体との直角を確認して２を４のボルトで固定する。【００２１】［図１］の３での該当する半円状の切削部にタップをあて、３を５のボルトで固定する。【００２２】Ｔ型タップホルダーを装着してネジを切る。
【産業上の利用可能性】
【００２２】本考案はＤＩＹ用品を製造する産業で利用される。
【符号の説明】
【００２３】  １    タップの丸棒部分
２    半円状の切削部を形成した一方の円盤
３    半円状の切削部を形成したもう片方の円盤
４    ２を固定するボルト
５    ３を固定するボルト
６ａ  折り曲げたフラットバーの長手
６ｂ  折り曲げたフラットバーの短手
７    幅９ｍｍの横長抜き加工
８    １０ａと６ｂを固定するボルト
９    幅４ｍｍの横長抜き加工
１０ａ  Ｔ字形部材の立ち上がり部分
１０ｂ  Ｔ字形部材の水平部分
１１    幅４ｍｍの横長抜き加工
１２    幅４ｍｍの横長抜き加工
１３    ネジ
１４    被削体
１５    ベタバイス
【図１】
0003222423.tif 000003
【図２】
0003222423.tif 000004
(57)【要約】      （修正有）【課題】足裏の指圧と足指広げの両方の効果を持った足指広げと足裏指圧健康器具を提供する。【解決手段】足裏には身体全体に影響を及ぼす重要なツボや神経反射区が集まっている。これらを適当に圧迫の指圧と足指広げの刺激を与えることで健康機能増進に大きく貢献できる。一つの板に指圧効果の有る凹凸の突起物Ｃと足指の間に入る四本の指の厚さ以上の高い突起物Ｂを着けた本発明の器具を足に装着、その板Ａの上に乗る又は座って板に紐を付け引っ張れば指圧と足指広げ効果が同時に得られることおよび、普通の指圧の器具に四本の指の厚さ以上の高さの突起物を着ける。【選択図】図１
0003222421.tif 000002
【実用新案登録請求の範囲】
【請求項１】
足裏の指圧と足の指全部を広げるのを同時に行う為に
板に指圧用突起物と足の指と指の間を広げるための足の指の厚さ以上の高さの突起物を装着する事によって  同時に指圧と指の間を広げる効果が得られる健康器具
【考案の詳細な説明】
【図面の簡単な説明】
【図１】符号Ａ  板  符号Ｂ  足指間の足指の厚さの突起物  符号Ｃ  指圧の為の凹凸の突起物
【図２】符号Ａ  板  符号Ｂ  足指間の突起物  符号Ｄ  右足を乗せた状態
【図１】
0003222421.tif 000003
【図２】
0003222421.tif 000004
(57)【要約】      （修正有）【課題】磁気治療器粒等の貼り替え用シールに神代文字を書き入れ、それを体の不調部位に貼付することで体の不調を改善する神代文字入り貼り替え用シールを提供する。【解決手段】磁気治療器等の貼り替え用シール１の表面、裏面のどちらか一面に神代文字を書き入れてあり、身体の不調部位の皮膚表面に直接神代文字等を書くことなく、神代文字の書き入れてある貼り替え用シール１をその不調部位に、いつでも自在に貼付することにより、身体の不調改善に役立つ。【選択図】図１
0003222427.tif 000002
【実用新案登録請求の範囲】
【請求項１】
磁気治療器粒等の貼り替え用シールの表面、裏面のどちらか一面に神代文字を書き入れてあるシールを特徴とする神代文字入り貼り替え用シール。
【考案の詳細な説明】
【技術分野】
【０００１】  本考案は、磁気治療器粒等を貼り替えて使用するシールに、神代文字を書き入れた貼り替え用シールに関するものである
【背景技術】
【０００２】  日本には古来より多くの神代文字が存在しており、その文字から強大なパワーが出ているとされ、身体の異常、例えば疼痛等のある場合、その異常部位の肌に直接神代文字を書く等して身体の異常等を改善していた。
【考案の概要】
【考案が解決しようとする課題】
【０００３】  肌に直接神代文字を書くことは、その身体の部位の肌を露出するため、いつどこでも簡単に書くことは一般的に困難であり、又、自分が自身の身体に文字を書く場合、身体の後背部等に書くことは物理的に不可能であり、第三者等に書いてもらっていた。そのため心的負担も大きく、又、書いてもらうためには、時間的、労働的負担である。従って、神代文字の書いてある貼り替え用シールを、はくり紙よりはがし簡単に身体の異常部位に貼付することで、前述の欠点を解決しようとするものである。
【課題を解決するための手段】
【０００４】  本考案は、磁気治療器粒等の貼り替え用シールの表面、又は裏面のどちらか一面に神代文字を書き入れ、そのシールをはくり紙よりはがし、身体の異常部位に貼付することで前述の問題点を解決している。
【考案の効果】
【０００５】  上述の様に、神代文字入り貼り替え用シールは、いつどこでも簡単に身体の異常部位に貼付することが可能であり、例えば、身体の不調、疼痛等の部位の肌に直接そのシールを貼付することで神代文字のパワー効果として不調の軽減に役立つ。
【図面の簡単な説明】
【０００６】
【図１】本考案の神代文字入り貼り替え用シールの一実施図をを示す平面図（表面）である。
【図２】本シールの平面図（裏面）である。
【考案を実施するための形態】
【０００７】  貼り替え用シールの表面、裏面のどちらか一面に神代文字を書き入れたそのシールをはくり紙よりはがし、身体の不調部位の肌に直接簡単に貼付することが出来る。又、シールの肌への貼り付け、肌からの取りはがしは使用者の自由自在である。
【実施例１】
【０００８】  以下、添付図に従って一実施例を説明する。１は布等適宜素材にて形成され、神代文字の一つである龍体文字をシールの表面に書き入れてある貼り替え用シール、２は貼り替え用シール１の台紙であるはくり紙、３はシールを容易にはくり紙２よりはがすことができるよう台紙に入れてある切り目【０００９】  本考案の一実施例は上述の如き構成からなるものであるから本シールを肌に貼付することで身体の不調の改善にいつでも対応することが出来る。
【符号の説明】
【００１０】１  貼り替え用シール
２  はくり紙
３  台紙に入れてある切り目
【図１】
0003222427.tif 000003
【図２】
0003222427.tif 000004
(57)【要約】【課題】サイクロン効果を利用して、集塵機能を充分に発揮し得る排気ダクトを提供する。【解決手段】煤塵除去装置の上流側に煤塵除去装置の前処理用に、取付られる排気ダクトであって、筒状のダクト本体１の内壁面４に螺旋状に取付けた帯状の金属製薄板２によって通風路３を螺旋状に形成し、通風路３を通過した汚染空気が遠心分離され、粉塵や煤塵が内壁面４に捕集されるため、煤塵除去装置の性能をより長く保つことが可能となる。【選択図】図１
0003222436.tif 000002
【実用新案登録請求の範囲】
【請求項１】
筒状のダクト本体と、前記ダクト本体の内面壁に、螺旋状にとりつけた帯状の金属製薄板からなる排気ダクト。
【請求項２】
通風路の上流側に噴霧するノズルを取り付けた、請求項１の排気ダクト。
【考案の詳細な説明】
【技術分野】
【０００１】
この考案は、サイクロン効果を利用して、集塵機能を充分に発揮することができる排気ダクトに関する。
【先行技術文献】
【非特許文献】
【０００２】
【非特許文献１】(非)特許文献ｎ
【考案の概要】
【考案が解決しようとする課題】
【０００３】
本考案は、煤塵除去装置の前処理ダクトとして取り付け、ダクト内で粉塵、煤塵を取り除き煤塵除去装置の性能維持及び効率向上を図る排気ダクトを提供する。
【課題を解決するための手段】
【０００４】
上記課題を解決するための手段を、後述する実施形態の参照符号を付して説明すると、請求項１に係わる考案の排気ダクトは、筒状のタ゛クト本体１の内面壁４に帯状の金属製薄板２を螺旋状に取付て、螺旋状の通風路３を形成することを特徴とする。
【０００５】
請求項２は、請求項１に記載の排気ダクトにおいて、通風路３の上流側に、噴霧ノズル５を設けてなることを特徴とする。
【考案の効果】
【０００６】
請求項１の考案では、螺旋状に取付けた帯状の金属製薄板２により形成された通風路３において、取り込まれた汚染空気が遠心分離され、粉塵や煤塵が、ダクト本体１の内壁面４に捕集される。
【０００７】
請求項２の考案では螺旋状に取付けた帯状の金属製薄板２により形成された通風路３において、取り込まれた汚染空気が遠心分離され、内壁面４に捕集された粉塵、煤塵が、通風路３の上流側に取付けた噴霧するノズル５から噴霧されるミストによって煤塵除去装置の中へ流される。排気ダクト内で遠心分離されることで、煤塵除去装置内のフィルター等へかかる負荷を抑えることができる。
【図面の簡単な説明】
【０００８】
【図１】本考案の排気ダクトの一例を示す断面図である。
【図２】本考案の排気ダクトの一例を示す模式図である。
【図３】本考案の排気ダクトの一例を示す斜視図である。
【考案を実施するための形態】
【０００９】
本考案の実施の形態を図面に基づいて、その詳細を以下に説明する。
【００１０】
図１は本考案の排気ダクトの一例を示す断面図である。排気ダクトは、筒状のダクト本体１と、その内壁面４に取付けられた帯状の金属製薄板２により通風路３が形成される。
【００１１】
図２は、本考案の排気ダクトの一例を示す模式図である。筒状のダクト本体１の外壁面７から給水管６を貫通させ、その先端に噴霧ノズルを取り付ける。
【００１２】
図３は、本考案の排気ダクトの一例を示す斜視図である。筒状のダクト本体１の上流側は、汚染空気の吸引口と接続し、ダクト本体１の下流側は煤塵除去装置と接続する。
【産業上の利用可能性】
【００１３】
本考案の排気ダクトは、その構造から実にシンプルな設備であるが、例えば汚染空気の充満する工場などでは、多くの場合、煤塵除去装置のフィルターの詰まりが著しく、洗浄の頻度に悩まされている為、こうした前処理用ダクトの開発が望まれている。
【符号の説明】
【００１４】
１…ダクト本体    ２…金属製薄板    ３…通風路    ４…内壁面    ５…噴霧ノズル    ６…給水管    ７…外壁面
【図１】
0003222436.tif 000003
【図２】
0003222436.tif 000004
【図３】
0003222436.tif 000005
(57)【要約】      （修正有）【課題】こんにゃくを調理する際に、こんにゃくの表面が滑らかで調味料の味が染込みにくいという不都合を解決し、こんにゃく料理の質を向上させるこんにゃくカット専用の包丁を提供する。【解決手段】包丁の刃先をのこぎりのようにＷ字形にして、さらにその切っ先を交互に外側へ折り曲げ、こんにゃくをカットする際に切断面に無数の傷をつけて課題を解決する。【選択図】図３
0003222416.tif 000002
【実用新案登録請求の範囲】
【請求項１】
包丁の刃先をのこぎりのようにＷ字形に加工し、その切っ先を交互に外側へ折り曲げ、こんにゃくを上から押し切ることによって、こんにゃくの切断面に傷をつけるための包丁。
【考案の詳細な説明】
【技術分野】
【０００１】  本考案は、こんにゃく調理用の包丁に関する
【背景技術】
【０００２】  従来の包丁は刃先を鋭くして、食材の切れ味をよくすることに重点を置いていた。
【考案の開示】
【考案が解決しようとする課題】
【０００３】  しかし、こんにゃく本体はその成分密度が高いため、これを従来の刃先が鋭いだけの包丁でカットすればその切断面もまたつるつると滑らかになり、調味料の味が染込みにくいために少しでも味を染込みやすくするために手指で千切ったりしていたが、これでは手間がかかる上に形も不揃いになり、一般的ではなかった。
【課題を解決するための手段】
【０００４】そこで、こんにゃくをカットする際に従来の刃が鋭いだけの包丁を使用せず、刃先をのこぎりのようにＷ字形に加工し、その切っ先を外側に折り曲げた包丁を使用することによってこんにゃくの切断面に傷を付け、調味料の味が簡単に染込みやすくなるようにした。
【考案の効果】
【０００５】  よって、本考案のこんにゃく調理用包丁を使用することにより、こんにゃくをカットすると同時に切断面に無数の傷を付け、簡単に調味料の味を染込みやすくして美味しいこんにゃく料理ができるようにした。また、従来から何の変化もなかったこんにゃくのカット面にＷ字形の傷をつけることによって見た目も斬新な切り口になり、こんにゃく料理に対する創作意欲を高めることにもなる。
【考案を実施するための最良の形態】
【０００６】    本考案に係るこんにゃく調理用包丁は、図１に示すように刃先をのこぎりのようにＷ字形に加工し、さらにその切っ先を図２に示すように交互に外側へ折り曲げることが重要である。
【図面の簡単な説明】
【０００７】
【図１】  本考案に係るこんにゃく調理用包丁の側面図である。
【図２】  本考案に係るこんにゃく調理用包丁の正面図である。
【図３】  本考案に係るこんにゃく調理用包丁の見取図である。
【図１】
0003222416.tif 000003
【図２】
0003222416.tif 000004
【図３】
0003222416.tif 000005
(57)【要約】【課題】遺骨のカビ発生や劣化を抑制することができる外箱を提供する。【解決手段】外箱６０は、遺骨を収容した骨壺１を入れるものであって、上方に開口部６１を有する箱状の本体箱６２と、本体箱６２の開口部６１を覆う蓋部６３と、本体箱６２又は蓋部６３と共に空間部ＳＰを形成するように取り付けられた通気性を有したシート材３０と、空間部ＳＰに設けられた調湿材４０とを備えている。【選択図】図２
0003222469.tif 000002
【実用新案登録請求の範囲】
【請求項１】
遺骨を収容した骨壺を入れる外箱であって、
上方に開口部を有する箱状の本体箱と、
前記本体箱の前記開口部を覆う蓋部と、
前記本体箱又は前記蓋部と共に空間部を形成するように取り付けられた通気性を有したシート材と、
前記空間部に設けられた調湿材と、
を備えることを特徴とする外箱。
【考案の詳細な説明】
【技術分野】
【０００１】
本考案は、遺骨を納めた骨壺を収納する外箱に関する。
【背景技術】
【０００２】
従来、様々な形状の骨壺が提案されている（例えば特許文献１〜９参照）。このような骨壺は例えば地下の納骨室に収容されるようになっている。また、骨壺は、納骨室に収められるまでの間や自宅供養時に桐箱等の外箱に収納される。
【先行技術文献】
【特許文献】
【０００３】
【特許文献１】特開２００９−３４４９８号公報
【特許文献２】特開２００８−３０１８４３号公報
【特許文献３】特開２００６−１６６９６０号公報
【特許文献４】特開２００２−１４３２４８号公報
【特許文献５】特開２００２−１０４３６７号公報
【特許文献６】特開２００９−２０７６３５号公報
【特許文献７】特開２００２−２４８１４１号公報
【特許文献８】特開２００１−１３７３０２号公報
【特許文献９】特開平７−２５５７９６号公報
【考案の概要】
【考案が解決しようとする課題】
【０００４】
ここで、遺骨は焼かれた段階で湿気を失うと共に多数の空孔を有することから、湿気を呼び込むように機能してしまい、骨壺内に水が溜まってしまう可能性がある。このような事情から、遺骨はカビが発生し易く劣化し易くなっている。特に、近年は墓を所有することなく遺骨を外箱に収めたまま自宅にて保管することが行われており、遺骨にカビが発生してしまうとカビを有した遺骨を常時室内に保管することとなってしまい不衛生である。
【０００５】
本考案はこのような従来の課題を解決するためになされたものであり、その目的とするところは、遺骨のカビ発生や劣化を抑制することができる外箱を提供することにある。
【課題を解決するための手段】
【０００６】
本考案に係る外箱は、遺骨を収容した骨壺を入れるものであって、上方に開口部を有する箱状の本体箱と、本体箱の開口部を覆う蓋部と、本体箱又は蓋部と共に空間部を形成するように取り付けられた通気性を有したシート材と、空間部に設けられた調湿材とを備えている。
【考案の効果】
【０００７】
本考案の外箱によれば、遺骨のカビ発生や劣化を抑制することができる。
【図面の簡単な説明】
【０００８】
【図１】本実施形態に係る外箱を示す斜視図である。
【図２】本実施形態に係る外箱の断面図である。
【考案を実施するための形態】
【０００９】
以下、本考案を好適な実施形態に沿って説明する。なお、本考案は以下に示す実施形態に限られるものではなく、本考案の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００１０】
図１は、本実施形態に係る外箱を示す斜視図であり、図２は、本実施形態に係る外箱の断面図である。
【００１１】
図１に示す外箱６０は、遺骨を収納した骨壺１を入れる例えば桐からなる木箱であって、上方に開口部６１を有する箱状の本体箱６２と、本体箱６２の開口部６１を覆う蓋部６３とを備えている。蓋部６３は、開口部６１内に略ピッタリと嵌まり込む突出部６４を備えている。
【００１２】
また、図２に示すように、本体箱６２は、箱内内側にシート材３０、調湿材４０、及び載置部６６を備えている。シート材３０は、通気性を有した不織布等のシートによって構成されている。このシート材３０は、本体箱６２の底壁６５の若干上方に、且つ、箱内側から見て底壁６５が隠れるように、箱内側に取り付けられる。これにより、シート材３０は本体箱６２と共に空間部ＳＰを形成する。この空間部ＳＰには調湿材４０が設けられる。調湿材４０は、湿気を吸収及び放出可能な部材であって、例えばシリカゲルによって構成されている。
【００１３】
載置部６６は、網状の金属部材や、多数の開口を有した板材等の骨壺１を載置可能な程度の剛性を有する部材によって構成されている。この載置部６６は、シート材３０よりも若干上方側に設けられている。
【００１４】
このような外箱６０は、空間部ＳＰに調湿材４０を備えている。このため、骨壺１内の湿気が外箱６０に設けられた調湿材４０に吸収されることとなる。
【００１５】
なお、この調湿材４０は乾燥により機能を回復させることができる。よって、例えば外箱６０内の調湿材４０を所定量以上とすることで、湿度が高くなる季節（一日の湿度平均が第１所定値以上となる季節）に吸収した湿気を、湿度が低くなる季節（一日の湿度平均が第２所定値（第１所定値以下の値）以下となる季節）に放出することができ、長期間に亘る使用を可能とすることができる。加えて、遺骨が異常に乾燥してしまうことを抑えることができ、遺骨の劣化を抑えることができる。
【００１６】
このようにして、本実施形態に係る外箱６０によれば、通気性を有したシート材３０によって形成された空間部ＳＰに調湿材４０が設けられているため、外箱６０内の湿気を吸収することで骨壺１内の湿度を下げることができる。従って、遺骨のカビ発生や劣化を抑制することができる。
【００１７】
以上、実施形態に基づき本考案を説明したが、本考案は上記実施形態に限られるものではなく、本考案の趣旨を逸脱しない範囲で、変更を加えてもよい。
【００１８】
例えば、本実施形態に係る外箱６０は、本体箱６２にシート材３０が取り付けられて空間部ＳＰを形成しているが、これに限らず、蓋部６３にシート材３０が取り付けられて空間部ＳＰを形成してもよい。
【００１９】
なお、蓋部６３側に調湿材４０を設ける構成の方が本体箱６２側に設けるよりも調湿材４０の交換や乾燥の観点から好ましいといえる。
【００２０】
また、図２に示す例において外箱６０には空間部ＳＰが１つだけ設けられているが、これに限らず、複数の空間部ＳＰを有していてもよい。この場合において、空間部ＳＰは蓋部６３側と本体箱６２側とに分散して設けられていてもよい。
【符号の説明】
【００２１】
１      ：骨壺
６０    ：外箱
６１    ：開口部
６２    ：本体箱
６３    ：蓋部
６４    ：突出部
６５    ：底壁
６６    ：載置部
ＳＰ    ：空間部
【図１】
0003222469.tif 000003
【図２】
0003222469.tif 000004
(57)【要約】      （修正有）【課題】防草シート敷設面に所望植物を植栽する際の植栽部分の土面からの雑草防止と飛来種子の発芽防止、緑地面積減少や景観向上への対応できる雑草防止植栽ポットの提供。【解決手段】土にかえり、大きさを変えられる紙材や竹材、生分解性プラスチック素材の筒状体の上部にポリプロピレン製の防草シートを耐水性のある接着剤５で固定し、敷設された防草シート４に植栽をする。植栽部分からの雑草を防止することができる。【選択図】図２
0003222190.tif 000002
【実用新案登録請求の範囲】
【請求項１】
土にかえり大きさを変えられる紙材や竹材、生分解性プラスチックの上部にポリプロピレン製の防草シートを耐水性のある接着剤で固定し、敷設された防草シートに植栽をする際に使用することで植栽部分からの雑草を防止することができることを特徴とする雑草防止植栽ポット。
【考案の詳細な説明】
【技術分野】
【０００１】
本考案は、道路の分離帯や田畑の畦畔、太陽光パネル下等への防草シート施工後に所望する植物を植栽する際に使用する雑草防止植栽ポットに関するものである。
【背景技術】
【０００２】
道路の分離帯や田畑の畦畔等に生える雑草は、草丈も高くなり見通しが悪く交通の安全に支障をきたし、周囲の景観にも悪影響を及ぼすため、防草シート敷設やコンクリート打設等の防草対策がされている。又、太陽光パネル設置部では、草刈りの際に電線の切断や機械の損傷の危険があることや、除草剤を使用して周囲の環境に悪影響を及ぼすなどの課題があり、上記の方法で防草シート敷設やコンクリート打設等の防草対策がなされている。
【０００３】
しかし、これらの対策はあくまでも防草という観点での対策であり、環境問題や景観面での対策にはなっておらず、最近では防草シートを切り裂いて植栽する緑化工法や筒状ポット特許文献１を設置して植栽する緑化工法が行われている。
【先行技術文献】
【特許文献】
【０００４】
【特許文献１】特開２０１６−１４６７９３号公報
【考案の概要】
【考案が解決しようとする課題】
【０００５】
しかしながら、切り裂いた防草シートに植栽する方法や上記特許文献１の挿し込んだ筒状ポットと防草シートの隙間から雑草が出る点や筒状ポットの中に飛来した種子が発芽するという問題点がある。
【０００６】
そこで、本考案は上記課題を達成するために植栽部分からの雑草を防止し、飛来種子の発芽も防ぐ雑草防止植栽ポットの提供である。
【課題を解決するための手段】
【０００７】
この雑草防止植栽ポットは、数センチの高さの土にかえる紙管や竹材、生分解性プラスチックの素材で形成された筒状ポットの上部に四角くカットしたポリプロピレン製の防草シートを接着し固定したもので、所望する植物によってその大きさを変えることができるものである。                                                          
【０００８】
防草シートを雑草防止植栽ポットと同じ大きさで切り抜き、専用の植穴開け器を使用して土を取除き、雑草防止植栽ポットを挿し込んで防草シートとポットのつばの部分を接着剤と釘やピン等で固定し植物と培養土を入れることで所望する植物の植栽が可能になる植栽ポットである。
【考案の効果】
【０００９】
防草シートを敷設した土面に上記の雑草防止植栽ポットを設置して地被植物を植栽すれば、やがて防草シート上に地被植物がランナーして密度の高い草地を形成し、開発による緑地減少の問題や題景観の向上、防草シートの太陽光による劣化をも抑制することができる。
【図面の簡単な説明】
【００１０】
【図１】雑草防止植栽ポットを示す説明図である。
【図２】本考案の実施形態に係る植栽方法を施工した断面図である。
【考案を実施するための形態】
【００１１】
以下、図面を参照して本考案の具体的な形態を詳述する。
【実施例】
【００１２】
図１は、雑草防止植栽ポット１の構造を説明する側面図である。この雑草防止植栽ポットは、所望する植物よって大きさを変えることが可能で、数センチの高さを有する紙管や竹材、生分解性プラスチックの素材で後に土にかえる筒状体３を使用し、筒状体の素材より大きく正方形にカットしたポリプロピレン製の防草シート２を耐水性のある接着剤で筒状体の上部に接着し固定したものである。
【００１３】
図２は、本考案の実施形態に係る雑草防止植栽ポット１を用いた植栽方法を施工した断面図である。防草シート敷設後、植栽したい部分に専用の器具を使い数センチの高さを有する紙管や竹材、生分解性プラスチックの素材の筒状体３が入る大きさに防草シートをカットし、筒状に土を取り出す。
【００１４】
土を取り出して空洞になった部分に四角くカットしたポリプロピレン製の防草シート２の防草シートに当たる面に耐水性のある接着剤５を塗った雑草防止植栽ポット１を差し込み、四角くカットしたポリプロピレン製の防草シート２の部分の四方を釘やピン６で固定する。
【００１５】
そして、筒状になっている部分の防草シートを所望する植物７の根部分に合わせてカットし８、紙管や竹材等の素材を数センチの高さでカットした筒状体３の中に泥状にした培養土９と植物の根を挿し込む。これにより、雑草防止植栽ポット１が土面から防草シート上に雑草が出てくるのを防止し、雑草種が飛散してきても表面に用土と水分がないので雑草が生育することはなく防草シート上に所望の地被植物を生育させることが可能となる。
【産業上の利用可能性】
【００１６】
この雑草防止植栽ポットは、今までの防草シートを敷設した場所に使用が可能で開発による緑地減少の問題や題景観の向上、防草シートの太陽光による劣化をも抑制することができる。また、斜面に敷設した防草シートに対してもこの雑草防止植栽ポットを用いて植栽をすることで雑草を防止し草刈りの労力を削減できると共に、所望する植物の根が土中に広がり土砂崩れのリスクを大幅に軽減できる緑化材として、これから大いに利用される可能性の高いものである。
【符号の説明】
【００１７】
１    雑草防止植栽ポット
２    防草シート
３    筒状の紙材や竹材、生分解性プラスチック
４    敷設された防草シート
５    耐水性のある接着剤
６    釘やピン
７    所望する植物
８    カット部分
９    培養土  
【図１】
0003222190.tif 000003
【図２】
0003222190.tif 000004
【手続補正書】
【提出日】令和1年5月20日(2019.5.20)
【手続補正１】
【補正対象書類名】実用新案登録請求の範囲
【補正対象項目名】請求項１
【補正方法】変更
【補正の内容】
【請求項１】
土にかえり大きさを変えられる紙材や竹材、生分解性プラスチック素材の筒状体の筒になっている片方の面にポリプロピレン製の防草シートを耐水性のある接着剤で固定し、敷設された防草シートに植栽をする際に使用することで植栽部分からの雑草を防止することができることを特徴とする雑草防止植栽ポット。
(57)【要約】      （修正有）【課題】電気回路において、接続クリップで挟みにくい箇所の検査や計測をする場合に、接続を簡単に出来るリード線を提供する。【解決手段】リード線２の一端に導体で覆われた小さな円柱形の磁石１を取りつけ、他端に接続クリップ３を接続した。【選択図】図１
0003222183.tif 000002
【実用新案登録請求の範囲】
【請求項１】
導体で覆われている小さな円柱形の磁石を一端に接続し、多端に接続クリップを接続したリード線。
【請求項２】
導体で覆われている小さな円柱形の磁石を両端に接続したリード線。
【請求項３】
請求項１と２の磁石にリード線を接続する場所は、いずれも円柱状の磁石の側面であることを特徴とするリード線。
【考案の詳細な説明】
【技術分野】
【０００１】      本考案は、電気回路におけるリード線に関するものである。
【背景技術】
【０００２】  電気回路の検査や測定、または実験をする場合は、リード線にワニ口クリップやミノムシクリップが接続されているものを使うことが多いが、必ずしもこれらの接続クリップで挟めるものばかりとは限らない。【０００３】  本考案は、接続クリップの代わりに磁石を利用して問題を解決したものである。
【先行技術文献】
【特許文献】
【０００４】
【特許文献１】特許第４９０６４２９号
【特許文献２】特開２０１８−７３５７１
【考案の概要】
【考案が解決しようとする課題】
【０００５】  電気回路の検査や測定または実験をする場合に、接続クリップで挟む箇所が大きすぎたり、小さすぎたりするとうまく接続できない。【０００６】  また、電池に接続する場合は電池ボックスが必要となり面倒である。
【課題を解決するための手段】
【０００７】  リード線の一端に導体で覆われた小さな円柱形の磁石の端子を接続する。
【考案の効果】
【０００８】  ０００７により、磁石が着く鉄やニッケル製の端子には非常に簡単に磁石の端子が接続できる。【０００９】  磁石の接着面は、磁力で押されて接触抵抗が軽減される。【００１０】  電池は、単一・単二・単三・００６Ｐ・ボタン電池等の種類によらず、磁石の端子で簡単に接続できる。【００１１】  小さな円柱形の磁石の、円形の上面と下面がＮ極またはＳ極であり、側面にリード線を接続してあり、図４のようにＮ極とＳ極が接触する順に多数の磁石の端子を積み重ねることが可能で、一点に多数の配線を接続できる。【００１２】  ００１１のため、電気回路内に簡単に並列回路や直列回路を作ることができる。
【図面の簡単な説明】
【００１３】
【図１】  本考案の一端に磁石を付け、他端に接続クリップを付けたリード線（ａ）と、両端に磁石を付けたリード線（ｂ）の見取り図である。
【図２】  図１のａを上から見た図である。
【図３】  図１のａを正面の反対側から見た図である。
【図４】  本考案の磁石付きリード線を使用した電気回路の例を示した図である。
【考案を実施するための形態】
【００１４】  電気回路の中に差し込んで検査や計測を行う。
【００１５】  また、電池やさまざまな電気部品と接続して電気回路を組む。
【実施例】
【００１６】  電気機器の電圧や電流の測定をする場合、鉄やニッケルの端子が皿頭ねじやトラス頭ねじでは接続クリップで挟めないことがあるので、測定箇所の端子にリード線の磁石を使って接続し計測機器に接続する。【００１７】  図４の例に示したように、電気回路の中で必要に応じて、電池やさまざまな電気部品と簡単に接続して、電気回路を組む。
【産業上の利用可能性】
【００１８】  接続クリップで挟みにくいが磁石が付く箇所での様々な回路試験において、計測機器との接続が簡単にできる。【００１９】  小さな円柱形のネオジウム磁石にニッケルメッキされた物が市販されており、はんだ付けやスポット溶接が可能で、作成が容易である。【００２０】  学校教育において、電池や電気部品を、磁石付きリード線により、図４に示したように簡単に組み上げることができ、学習効率を上げることが期待できる。
【符号の説明】
【００２１】１    円柱形の小磁石
２    リード線
３    接続クリップ
４    一端に磁石を付け、他端に接続クリップを付けたリード線（図１ａ）
５    両端に磁石を付けたリード線（図１ｂ）
６    電圧計
７    電流計
８    電池
９    抵抗
１０  両端に接続クリップのついたリード線
【図１】
0003222183.tif 000003
【図２】
0003222183.tif 000004
【図３】
0003222183.tif 000005
【図４】
0003222183.tif 000006
【手続補正書】
【提出日】平成31年4月24日(2019.4.24)
【手続補正１】
【補正対象書類名】実用新案登録請求の範囲
【補正対象項目名】請求項１
【補正方法】変更
【補正の内容】
【請求項１】
導体で覆われている小さな円柱形の磁石を一端に接続し、他端に接続クリップを接続したリード線。
【手続補正２】
【補正対象書類名】実用新案登録請求の範囲
【補正対象項目名】請求項３
【補正方法】変更
【補正の内容】
【請求項３】
前記磁石にリード線を接続する場所は、円柱状の磁石の側面であることを特徴とする請求項１または請求項２のいずれかに記載のリード線。
(57)【要約】      （修正有）【課題】夜間尿意によって睡眠がさまたげられるのを短時間でベット内で処理できる尿取器を提供する。【解決手段】注入口にネジ式キャップを有する倒れても漏れない縦型尿取器であって、底部を取り外し可能とした。【選択図】図５
0003222187.tif 000002
【実用新案登録請求の範囲】
【請求項１】
注入口にネジ式キャップを有し倒れても漏れない縦型尿取器で当該尿取の底部を取り外し可能とした尿取器である
【考案の詳細な説明】
【技術分野】
【０００１】本考案は注入口にネジ式キャップを有し底部を取り外し可能とする尿瓶に関するものである
【背景技術】
【０００２】尿取器の注入口が狭いため尿瓶の内部清掃がしにくい
【考案の概要】
【考案が解決しようとする課題】
【０００３】夜間睡眠中のトイレは寝不足にもつながり特に高齢者には身体に対する負担が大きい、從って単時間で処理出来るのは良いが注入口が狭いためいかに清掃を早くきれいに出来るかが課題
【考案が解決するための手段】
【０００４】尿瓶の下部を二分割に出来る様にする、つなぎにはパッキンを備える。
【考案の効果】
【０００５】上記の様に本考案の從型尿瓶は軽くて清掃も楽に出来ネジ式キャップで臭いもふせぎ倒れても漏れがなく安心して使える。
【図面の簡単な説明】
【０００６】
【図１】注入口の大きさと全体を表した平面図
【図２】全体の大きさを表わした立面図
【図３】図２の切断面図
【図４】キャップ及底断面詳細図
【図５】斜視図
【考案を実施するための形態】
【０００７】睡眠時の尿竟は特に寒い時期は移動が大変でベット内で処理出来る亊が一番良い方法であり臭いをふせぐためにも注入口にはネジ式キャップで締める亊が出来ビンは軽くて丈夫で加工しやすい塩ビ製等とし底の部分が取りはずす亊によって内部清掃が簡単に出来る
【図１】
0003222187.tif 000003
【図２】
0003222187.tif 000004
【図３】
0003222187.tif 000005
【図４】
0003222187.tif 000006
【図５】
0003222187.tif 000007
(57)【要約】【課題】  排尿及び排便を容易にするＴシャツ、半袖シャツ、長袖シャツ、ランニングシャツなどの上半身用下着を提供する。【解決手段】  上半身用下着１００は、前面側の下部に陰部を露出可能にする略逆Ｕ字状の切欠き１０を設けてなる。また、後面側の下部に肛門を露出可能にする略逆Ｖ字状の切欠き２０を設けてなる構成。【選択図】図１
0003222182.tif 000002
【実用新案登録請求の範囲】
【請求項１】
下着の下部前面に陰部を露出可能にする切欠きを設け、前記下着の下部後面に肛門を露出可能にする切欠きを設けたことを特徴とする上半身用下着。
【請求項２】
前記下着の下部前面と下部後面のそれぞれに配設する切欠き形状を略逆Ｕ字状または略逆Ｖ字状のいずれか一方としたことを特徴とする請求項１記載の上半身用下着。
【考案の詳細な説明】
【技術分野】
【０００１】  本考案は排尿及び排便を容易にするＴシャツ、半袖シャツ、長袖シャツ、ランニングシャツなどの上半身用下着に関する。
【背景技術】
【０００２】  排尿に際し、シャツをめくり上げることなく陰部を露出可能にするものとして、丸首状で頭から被って着用する男性用シャツ本体の裾部正面をトンネル形開口部とした男性用シャツの裾部構造が特開２０１３−１１０４３号公報に提案されている。また、男性の下着シャツにおいて、履いたパンツの前部の重ね開口部の前に直接又は間接的に位置する下部中央部に切欠き開口部、又はのれん式開口部、又はフリー重ね開口部を形成したことを特徴とする下着シャツとして、特開２０１７−２０６７９８号公報が提案されている。
【先行技術文献】
【特許文献】
【０００３】
【特許文献１】特開２０１３−１１０４３号公報
【特許文献２】特開２０１７−２０６７９８号公報
【考案の概要】
【考案が解決しようとする課題】
【０００４】  しかしながら、特許文献１、２に記載のシャツはいずれもシャツの前面下部に陰部を露出可能にする切欠きまたは開口部を設けた構成であるものの、排便に際して、シャツをめくり上げなくてよい構成となっていない。本考案は、幼児や認知症の老人、手指や体が不自由な身体障害者が排尿および排便に際し、下着シャツをパンツ内等からめくり上げるのに手間取ったり、めくり上げ方が不十分で下着を濡らしたり汚したりすることを防止する上半身用下着を提供することを目的とする。
【課題を解決するための手段】
【０００５】  本考案の上半身用下着は、下着の下部前面と下部後面のそれぞれに陰部と肛門を露出できる略逆Ｕ字状の切欠き，または略逆Ｖ字状の切欠きのいずれか一方を備えたことを特徴とする上半身用下着としたもので、パンツ内に入っていた下着の下部をめくり上げなくても排尿または排便を行える。【０００６】  さらに本考案にかかる上半身用下着は上記構成において、下着の下部前面に配設する切欠きを略逆Ｕ字状、前記下着の下部後面に配設する切欠きを略逆Ｖ字状としたことを特徴としたもので、下着を着用する年齢層、認知症、病状等の種類に応じて切欠きのサイズや形状を設定できる。
【考案の効果】
【０００７】  本考案の上半身用下着は、幼児や認知症の老人、手指や体が不自由な身体障害者が排尿および排便に際し、パンツ内から下着をめくり上げるのに手間取ったり、めくり上げ方が不十分なために生じる下着の濡れや汚れを防止できる。詳しくは、洋式便座に座った際、下着の後部をまくり上げるのを忘れると、前記下着の下端部が便座とお尻の間に挟まり、排便、特に下痢の場合に便が下着に付着するのを防止できる。勿論、健常者も下着をめくり上げることなく、便利に用便できる。
【図面の簡単な説明】
【０００８】
【図１】  本考案の一実施例における上半身用下着の正面図
【考案を実施するための形態】
【０００９】  以下、図１を用いて本考案の一実施例における上半身用下着を説明する。図１において本考案の上半身用下着１００は半袖シャツであって、前面側の下部に陰部を露出可能にする略逆Ｕ字状の切欠き１０を設けてなる。また、後面側の下部に肛門を露出可能にする略逆Ｖ字状の切欠き２０を設けてなる。
【００１０】  前記略逆Ｕ字状の切欠き１０と略逆Ｖ字状の切欠き２０の縁部（周囲）は布のほつれを防止するステッチなどの処置を所定に施してなる（図示せず）。なお、符号３０は認知症の人や幼児が下着の前後を分かりやすくするための前後識別マークの一例を示す。前記識別マーク３０は印刷するのが望ましいが、ラベルを貼付する。または別布を縫い付けてもよい。
【産業上の利用可能性】
【００１１】  本考案は上半身用下着だけでなく、ワイシャツや一般的な上半身用衣服などにも利用出来る。
【符号の説明】
【００１２】１０  略逆Ｕ字状の切欠き
２０  略逆Ｖ字状の切欠き
３０  前後識別マーク
【図１】
0003222182.tif 000003